(57)【要約】【課題】暗い場所での作業を容易にし、幅広いスプレー缶に取付可能で、かつ操作も簡単なノズルボタンを提供する。【解決手段】ノズルボタン本体の側周面には、噴射孔と、噴射孔の直上にランプ孔が設けられ、ノズルボタン本体内部には、噴霧対象物や前記噴射孔付近が照らされるためのＬＥＤランプと、電池と、ＬＥＤ回路スイッチが内蔵されている。ＬＥＤランプ付きノズルボタンは、スプレー缶に予め備え付けられたノズルボタンの代わりに取付けられるノズルボタンであることが好ましいが、スプレー缶に予め備え付けられたノズルボタンを覆う形態で取付けられるノズルボタンであっても良い。ＬＥＤ回路スイッチはノズルボタン本体の後方部に設けられており、片手のみで操作することが可能である。【選択図】図１
2016088609.tif 000002
【特許請求の範囲】
【請求項１】
スプレー缶に予め備え付けられたノズルボタンの代替として取付けられるノズルボタンであって、
円柱、楕円柱、或は、多角柱の形状を成し、底面にスプレー缶のノズルと嵌合するノズル接合口が設けられたノズルボタン本体と、
前記ノズルボタン本体の側周面に設けられた噴射孔と、
前記ノズルボタン本体の側周面で前記噴射孔の略直上に設けられたランプ孔と、
前記ノズルボタン本体内部に内蔵されたＬＥＤランプおよび電池と、
前記ノズルボタン本体の側周面に設けられたＬＥＤ回路スイッチ、
を備えたことを特徴とするＬＥＤランプ付きノズルボタン。
【請求項２】
スプレー缶に予め備え付けられたノズルボタンを上から覆う形態で取付けられるノズルボタンであって、
円柱、楕円柱、或は、多角柱の形状を成し、底面にスプレー缶のノズルと嵌合するノズル接合口が設けられたノズルボタン本体と、
前記ノズルボタン本体の側周面に設けられた噴射孔と、
前記ノズルボタン本体の側周面で前記噴射孔の略直上に設けられたランプ孔と、
前記ノズルボタン本体内部に内蔵されたＬＥＤランプおよび電池と、
前記ノズルボタン本体の側周面に設けられたＬＥＤ回路スイッチ、
を備えたことを特徴とするＬＥＤランプ付きノズルボタン。
【請求項３】
前記ノズルボタン本体の形状は円柱であり、
前記電池はボタン型電池である、
ことを特徴とする請求項１又は２に記載のＬＥＤランプ付きノズルボタン。
【請求項４】
前記ＬＥＤ回路スイッチは、前記ノズルボタン本体の側周面で前記噴射孔の反対側に設けられることを特徴とする請求項１〜３の何れかに記載のＬＥＤランプ付きノズルボタン。
【請求項５】
前記ノズルボタン本体の上面がキャップで覆われており、前記キャップと前記ノズルボタン本体は、着脱自在に螺合又は嵌合されるものであることを特徴とする請求項１〜４の何れかに記載のＬＥＤランプ付きノズルボタン。
【請求項６】
前記キャップの上面は、前記噴射孔を備える側周面を前方とした場合に、上面の略中央から後方にかけて下る傾斜面が形成されていることを特徴とする請求項１〜５の何れかに記載のＬＥＤランプ付きノズルボタン。
【発明の詳細な説明】
【技術分野】
【０００１】
本発明は、暗い場所でも的確にスプレー剤を噴霧付着させられるようにしたノズルボタンに関するものである。
【背景技術】
【０００２】
暗い場所でのスプレー剤の噴射は、目的物に照準を合わせることが困難になり、的確に噴霧付着させることが困難である。そのため、従来では、的確にスプレー剤を噴霧付着させるために、片方の手でスプレー缶を持ち、もう片方の手で懐中電灯などの照明具を持って作業するということが数多く行われていた。
しかし、片方の手でスプレー缶を持ち、もう片方の手で懐中電灯などの照明具を持って作業するとなると、手の自由度が著しく制限され、スプレー剤を噴霧付着させながら他の作業を行うことは困難であった。
【０００３】
上記問題を解決するために、スプレー使用時に吹きつける場所を照らして、作業しやすくする照明具が知られている（例えば、特許文献１を参照。）。これは、スプレー缶の筒部の外周縁部前方に、磁石や粘着テープ等を用いて照明具を取付けるものである。
【先行技術文献】
【特許文献】
【０００４】
【特許文献１】特開２００５−１７４８９２号公報
【発明の概要】
【発明が解決しようとする課題】
【０００５】
しかしながら、特許文献１に開示された照明具では、照明具をスプレー缶の本体である筒部に取付けるため、特に、スプレーノズルが短い場合には、噴射口付近を照らすことができず、不都合である。
また、取付部材としては、磁石や粘着テープ等を用いるが、磁石で接着する場合は、スプレー缶が磁石で接着し得る素材が用いられていない場合には使用できないし、粘着テープで接着するとなると繰り返しの利用は困難であった。
【０００６】
上記状況に鑑みて、本発明は、暗い場所での作業を容易にし、幅広いスプレー缶に取付可能で、かつ操作も簡単なノズルボタンを提供することを目的とする。
【課題を解決するための手段】
【０００７】
上記課題を解決すべく、本発明のＬＥＤランプ付きノズルボタンは、ノズルボタン本体の側周面には、噴射孔と、噴射孔の直上にランプ孔が設けられ、ノズルボタン本体内部には、噴霧対象物や前記噴射孔付近が照らされるためのＬＥＤランプと、電池と、ＬＥＤ回路スイッチとが内蔵されている。すなわち、本発明のＬＥＤランプ付きノズルボタンは、スプレー缶に予め備え付けられたノズルボタンの代替として取付けられるノズルボタンであって、円柱、楕円柱、或は、多角柱の形状を成し、底面にスプレー缶のノズルと嵌合するノズル接合口が設けられたノズルボタン本体と、ノズルボタン本体の側周面に設けられた噴射孔と、ノズルボタン本体の側周面で前記噴射孔の略直上に設けられたランプ孔と、ノズルボタン本体内部に内蔵されたＬＥＤランプおよび電池と、ノズルボタン本体の側周面に設けられたＬＥＤ回路スイッチを備える。
【０００８】
本発明のＬＥＤランプ付きノズルボタンは、スプレー缶に予め備え付けられたノズルボタンの代わりに取付けられるノズルボタンであることが好ましいが、スプレー缶に予め備え付けられたノズルボタンを覆う形態で取付けられるノズルボタンであっても良い。
また、スプレー缶に予め備え付けられたノズルボタンの代わりに取付けられるノズルボタンである場合、取付部においては市販のスプレー缶に予め備え付けられたノズルボタンと同等の径を有するノズル孔を備えている。したがって、幅広いスプレー缶に使用可能である。
【０００９】
本発明のＬＥＤランプ付きノズルボタンは、ノズルボタン本体の形状が円柱で、電池がボタン電池であることが好ましい。ノズルボタン本体がコンパクトに設計できるからである。
また、ノズルボタン本体、ボタン型電池ケースの材質は、軽量化のためにプラスチック等の樹脂製であることが好ましいが、金属製であっても良い。
【００１０】
本発明のＬＥＤランプ付きノズルボタンに設けられるＬＥＤ回路スイッチは、ノズルボタン本体の側周面で噴射孔の反対側に設けられる。ＬＥＤ回路スイッチが噴射孔の反対側に設けられることで、片手でスプレー剤の噴射とＬＥＤ回路スイッチの操作の両方を行うことが可能になり、暗い場所での作業が容易になる。
【００１１】
本発明のＬＥＤランプ付きノズルボタンにおいて、ノズルボタン本体の上面がキャップで覆われており、キャップとノズルボタン本体とは、着脱自在に螺合又は嵌合される。ノズルボタン本体には、ＬＥＤランプを点灯させるためのボタン型電池が備えられるところ、電池交換のためにキャップの着脱を可能としている。
【００１２】
本発明のＬＥＤランプ付きノズルボタンにおけるキャップの上面は、略中央から後方部（噴射孔を前面とした場合の後方部）にかけて下る傾斜面が形成されている。
キャップの外側上面の略中央から後方部にかけて下る傾斜面が形成されているのは、通常、スプレー缶を片手で持ってノズルボタンを押す場合、ボタンの後方から指をかけてボタンを押すため、指がかかる位置をテーパ状とすることで押しやすくしたものである。
【発明の効果】
【００１３】
本発明のＬＥＤランプ付きノズルボタンによれば、暗い場所でも、的確な位置にスプレー剤を噴霧付着させることができ、かつ、スプレー剤を噴射しながら、別の作業が可能になるといった効果がある。
【図面の簡単な説明】
【００１４】
【図１】実施例１のノズルボタンの正面図
【図２】実施例１のノズルボタンの背面図
【図３】実施例１のノズルボタンの左側面図
【図４】実施例１のノズルボタンの右側面図
【図５】実施例１のノズルボタンの平面図
【図６】実施例１のノズルボタンの底面図
【図７】実施例１のノズルボタンの分解図
【図８】実施例２のノズルボタンを取付けた平面図
【図９】実施例２のノズルボタンを取付けた斜視図
【発明を実施するための最良の形態】
【００１５】
以下、本発明の実施形態の一例を、図面を参照しながら詳細に説明していく。なお、本発明の範囲は、以下の実施例や図示例に限定されるものではなく、幾多の変更および変形が可能である。
【実施例１】
【００１６】
図１は、実施例１のノズルボタンの正面図を示している。
図１に示されるように、ノズルボタン１のノズルボタン本体５の側周面上前方部には、ＬＥＤランプ２と噴射孔３が上下に並んでおり、上面にはキャップ４が設けられている。
ＬＥＤランプ２には反射板２ａが取付けられている。また、キャップ４の材質は、プラスチック等の樹脂製である。
【００１７】
図２は、実施例１のノズルボタンの背面図を示している。
図２に示されるように、ノズルボタン１のノズルボタン本体５の側周面上後方部には、ＬＥＤランプ２のＬＥＤ回路スイッチ６が設けられている。これにより、例えば、スプレー缶を片手で持って人差し指でノズルボタン１を操作した場合、ノズルボタン１を操作する指を使ってＬＥＤランプ２のＬＥＤ回路スイッチ６のＯＮ／ＯＦＦの操作ができるので、スプレー缶を持ったまま、片手でスプレー剤の噴射とＬＥＤランプ２のＬＥＤ回路スイッチ６の操作の、２つの操作を行うことができるのである。
【００１８】
図３は、実施例１のノズルボタンの左側面図を示しており、図４は、実施例１のノズルボタンの右側面図を示している。
図３、図４に示されるように、ノズルボタン１の上部に設けられたキャップ４は、前方から略中央にかけて平面部４ａとなっており、略中央の位置から後方部にかけて下る傾斜面が形成され傾斜部４ｂとなっている。
これは、通常、スプレー缶を片手で持ってノズルボタン１を押す場合、ノズルボタン１の後方から指をかけてノズルボタン１を押すため、指がかかる位置をテーパ状とすることで押しやすくしたものである。
また、キャップ４の側周面上には縦線状の溝４ｃが設けられている。これは、電池交換のためキャップ４を回す際、滑り止めの効果を有するものである。
【００１９】
図５は、実施例１のノズルボタンの平面図を示している。
図５に示されるように、キャップ４の上面上には略全面に格子状の溝４ｄが設けられている。格子状の溝は、ノズルボタン１を押す際の指の滑り止めの効果を奏する。
【００２０】
図６は、実施例１のノズルボタンの底面図を示している。
図６に示されるように、ノズルボタン本体５の底面の中央部には開口部１２ａが設けられ、開口部１２ａの中にはスプレー缶に取付けるためのノズル孔１１が嵌合されている。開口部１２ａに嵌合されたノズル孔１１の他端は、略９０度に曲げられ、噴射孔３に繋がっている。
ノズル孔１１の内径は、市販のスプレーボタンにおける、スプレー缶への取付部位の孔の内径と略同等であるため、市販のスプレー缶に取付可能である。
開口部１２ａの周縁には、軽量化、原材料費削減を目的とした扇状の開口部（１２ｂ，１２ｃ，１２ｄ，１２ｅ）が設けられている。
なお、ノズルボタン１の全体形状は、図１〜図６に示されるように、円柱状を呈している。
【００２１】
図７は、実施例１のノズルボタンの分解図を示している。
図７に示されるように、ノズルボタン本体５は、筒状であり、側周面上前方部には、ＬＥＤランプ２の出射光を出射させるためのランプ孔５ｂと噴射孔３が上下に並んでおり、上面には開口部５ａが設けられている。
ノズルボタン本体５の内部には、ランプ孔５ｂと噴射孔３の間に仕切り板５ｃが設けられており、ＬＥＤランプ収納部５ｄとノズル孔収納部５ｅを隔てている。
【００２２】
次に、ＬＥＤランプ収納部５ｄに収納される部材について説明する。
ＬＥＤランプ収納部５ｄに収納される部材は、ＬＥＤランプ２、ＬＥＤ回路スイッチ６、ボタン電池ケース７、ボタン電池８、プラグ付コード（９ａ，９ｂ，９ｃ，９ｄ）である。
ボタン電池８はボタン電池ケース７に取付けられている。ここで、ボタン電池は、市販のものを使用している。
ボタン電池ケース７とＬＥＤ回路スイッチ６は、ボタン電池ケース７から電気回路を介して伸ばされたプラグ付コード９ａと、ＬＥＤ回路スイッチ６から電気回路を介して伸ばされたプラグ付コード９ｂとを嵌合させることにより結合する。
ＬＥＤ回路スイッチ６とＬＥＤランプ２は、ＬＥＤ回路スイッチ６から電気回路を介して伸ばされたプラグ付コード９ｃと、ＬＥＤランプ２から電気回路を介して伸ばされたプラグ付コード９ｄとを嵌合させることにより結合する。
ＬＥＤランプ２の先端部はランプ孔５ｂに装着される。プラグ付コード（９ｃ，９ｄ）によってＬＥＤランプ２と結合されたＬＥＤ回路スイッチ６は、ＬＥＤランプ収納部５ｄの中に配置され、ノズルボタン本体５の側周面後方部の孔（図示せず）に嵌合され装着される。
プラグ付コード（９ａ，９ｂ）によってＬＥＤ回路スイッチ６と結合されたボタン電池ケース７は、ノズルボタン本体５の内側周縁部において、ノズルボタン本体５の上面と略平行に設けられた突起部５ｇと、ボタン電池ケース７の底面端部が接触するように嵌合される。
【００２３】
図７に示されるように、ノズルボタン本体５の側周面上の上部には、キャップ４と結合するための雄ネジ部５ｆが設けられており、キャップ４の内側の側周面上に施された雌ネジ部（図示せず）が雄ネジ部５ｆに装着される。
【実施例２】
【００２４】
図８は、実施例２のノズルボタンを取付けた平面図を示している。
図８に示されるように、実施例２におけるスプレーノズルは細長い筒状で、噴出孔１５がノズルの軸芯に対して垂直に設けられた横噴射ノズル１３となっている。ノズルの根元部付近には噴射方向を指し示すマーカ１４が設けられている。
【００２５】
図９は、実施例２のノズルボタンを取付けた斜視図を示している。
図９に示されるように、横噴射ノズルを使用した場合、ＬＥＤランプ２が照らす位置は、スプレー剤の噴射方向ではなく、ノズル先端面方向である。しかし、噴出孔の位置をＬＥＤランプ２によって照らすことで、どの位置からどの方向にスプレー剤が噴射されているのかを的確に知ることができるので、暗い場所でのスプレー剤の噴霧付着を容易にするものであるといえる。
【実施例３】
【００２６】
実施例１及び実施例２におけるノズルボタン１は、既存のノズルボタンに置き換えて使用するものである。一方、本実施例では、既存のノズルボタンに被せる形状のノズルボタンとなっている（図示せず）。
すなわち、本実施例では、図６に示されるところの開口部１２ａが、既存のノズルボタンの外径よりも大きく構成されているのである。
【産業上の利用可能性】
【００２７】
本発明は、スプレー缶に取り付けるノズルボタンとして有用である。
【符号の説明】
【００２８】
１  ノズルボタン
２  ＬＥＤランプ
２ａ  反射板
３，１５  噴射孔
４  キャップ
４ａ  平面部
４ｂ  傾斜部
４ｃ，４ｄ  溝
５  ノズルボタン本体
５ａ  開口部
５ｂ  ランプ孔
５ｃ  仕切り板
５ｄ  ＬＥＤランプ収納部
５ｅ  ノズル孔収納部
５ｆ  雄ネジ部
５ｇ  突起部
６  ＬＥＤ回路スイッチ
６ａ  ＬＥＤ回路スイッチ台
７  ボタン電池ケース
８  ボタン電池
９ａ，９ｂ，９ｃ，９ｄ  プラグ付コード
１０  スプレー缶
１１  ノズル孔
１２ａ，１２ｂ，１２ｃ，１２ｄ，１２ｅ  開口部
１３  横噴射ノズル
１４  マーカ
１５  噴出孔
【図１】
2016088609.tif 000003
【図２】
2016088609.tif 000004
【図３】
2016088609.tif 000005
【図４】
2016088609.tif 000006
【図５】
2016088609.tif 000007
【図６】
2016088609.tif 000008
【図７】
2016088609.tif 000009
【図８】
2016088609.tif 000010
【図９】
2016088609.tif 000011